(57)【要約】本発明は、医療用デバイスの分野に関する。より詳細には、本発明は、ステントの送達などのために、内視鏡のワーキングチャネルを延伸するためのデバイス、システム、及び方法に関する。
2021511887.tif 000002
【特許請求の範囲】
【請求項１】
内部を貫通して伸びる管腔を有した管状の内側部材と、
貫通する管腔を有した管状の外側部材であって、前記外側部材の管腔は前記内側部材を受け入れるように構成され、外側部材及び内側部材は、入れ子式に延長デバイスの調整可能な長さに対応する所望の位置まで互いに相対して摺動可能である、外側部材と、
外側部材及び内側部材を所望の位置で互いに対して固定するように構成されたロックアセンブリと、
第１の医療用デバイスの遠位端に接続するように構成され、及び、前記外側部材の近位端にある近位コネクタと、
第２の医療用デバイスの近位端に接続するように構成され、及び、前記内側部材の遠位端にある遠位コネクタとを備える、延長デバイス。
【請求項２】
前記第１の医療用デバイスの遠位端は、そこから遠位に延びるシャフトをさらに備え、前記延長デバイスの調節可能な長さは、前記シャフトが、前記延長デバイスの外側部材及び内側部材の管腔と、前記第２の医療用デバイスの前記近位端から遠位端までとを通って、前記第２の医療用デバイスの遠位端を所定の距離だけ超えて延びるものである、請求項１に記載の延長デバイス。
【請求項３】
前記延長デバイスは、前記内側及び外側部材の管腔を通して近位方向に前記シャフトを抜去することなく、前記第１の医療装置の前記シャフトの周りから取り外し可能である、請求項２に記載の延長装置。
【請求項４】
前記所定の距離は、約８センチメートルである、請求項２〜３のいずれか１項に記載の延長デバイス。
【請求項５】
前記第１の医療用デバイスがデリバリーカテーテルであり、前記第２の医療用デバイスが内視鏡である、請求項２〜４のいずれか１項に記載の延長デバイス。
【請求項６】
前記調整可能な長さは、最小で約０センチメートル、最大で約８センチメートルである、請求項１に記載の延長デバイス。
【請求項７】
前記所望の位置は、前記ロックアセンブリの少なくとも１つの所定の固定位置を含む、請求項１に記載の延長デバイス。
【請求項８】
前記所望の位置は、前記ロックアセンブリの複数の所定の固定位置を含む、請求項１に記載の延長デバイス。
【請求項９】
前記内側部材に沿って、前記遠位コネクタに沿って、そして前記内側部材の管腔まで延びるチャネルと、
前記外側部材に沿って、前記近位コネクタに沿って、そして前記外側部材の内腔まで延びるチャネルとをさらに備え、
前記内側部材及び外側部材のチャネルは、前記延長デバイスが前記第１の医療用デバイスのシャフトの周りに配置され、及び前記シャフトの周りから除去されるように、互いに位置合わせされる、請求項１〜８のいずれか１項に記載の延長デバイス。
【請求項１０】
前記外側部材及び前記内側部材の少なくとも一方が、互いに相対して回転可能であり、それにより、前記延長デバイスが、前記内側部材のチャネルが前記外側部材のチャネルと実質的に位置合わせされている開放形態と、前記内側部材のチャネルが前記外側部材のチャネルと実質的に位置合わせされていない閉鎖形態との間で移行され得る、請求項９に記載の延長デバイス。
【請求項１１】
前記遠位コネクタの近位にて、前記内側部材の遠位部分に配置された旋回可能なジョイントをさらに備え、前記ジョイントは、前記第２の医療用デバイスの長手方向軸と、前記旋回ジョイントの遠位にある内側部材の部分と、位置合わせ可能な第１の長手方向軸を有し、前記ジョイントは、前記内側部材の残りの部分の長手方向軸と位置合わせ可能な第２の長手方向軸を有する、請求項１〜１０のいずれか１項に記載の延長デバイス。
【請求項１２】
前記内側部材の遠位部分にある球体であって、前記球体は内部を貫通して伸び、かつ前記内側部材の管腔と流体連通している管腔を有する、球体と、
前記球体の周りに配置され、かつ前記内側部材の遠位部分にあるカップ状体であって、前記カップ状体は、内部を貫通して伸び、かつ前記球体の管腔と流体連通している管腔を有する、カップ状体と、
前記球体は、前記内側部材、前記球体、及びカップ状体の管腔を流体連通状態に維持しながら、前記カップ状体内で旋回可能である。請求項１１に記載の延長デバイス。
【請求項１３】
前記ロックアセンブリは、前記外側部材の予め設定された開口に対応する前記内側部材の突出部である、請求項１に記載の延長デバイス。
【請求項１４】
前記ロッキングアセンブリは、複数の所望の位置に対応する複数の予め設定された開口を有し、これにより所定の複数の調整可能な長さを規定する、請求項１３に記載の延長デバイス。
【請求項１５】
前記突出部が、前記内側部材を前記外側部材から外すために圧縮可能なボタンを備える、請求項１３〜１４のいずれか１項に記載の延長デバイス。
【発明の詳細な説明】
【技術分野】
【０００１】
本発明は、医療用デバイスの分野に関する。具体的には、本発明は、ステントの送達などのための、内視鏡の作業チャネルを拡張するためのデバイス、システム、及び方法に関する。
【背景技術】
【０００２】
医療用デバイスは、患者の特定の治療部位に到達するため、及び／又は特定の補助医療用デバイス（例えば、内視鏡）と互換性を持たせるために、所定の長さの部品（例えば、デリバリーカテーテルのシャフトなど）を有し得る。シャフトの長さが事前に決定されているこれらの医療用デバイスの製造においては、他の患者の治療箇所や、互換性があるように設計されていない他の補助医療用デバイス（他のタイプの内視鏡や他の患者の体腔など）ではうまく機能しない場合がある。例えば、医療用デバイスは、それが適合するように設計されていない内視鏡に取り付けられる場合があるが、医療用デバイス（例えば、デリバリーカテーテル）のシャフトの長さが、内視鏡のワーキングチャネルよりもはるかに遠く遠位に延びてしまうことになり、デバイスやシステムが意図したとおりに動作できない、あるいは、完全に組み込むことができなくなる可能性がある。例えば、超音波内視鏡の端部から遠く遠位に延在するカテーテルシャフトの遠位先端は、超音波で画像化できない場合がある。多様な補助医療用デバイスと互換性のある適切な設計構造を備えた様々な代替医療用デバイスを設計及び製造する場合には、過度の追加開発及び在庫コストが必要となり得る。さらに、単に複数の補助デバイスと互換性を持たせるために、同一の医療用デバイスの異なるバージョンを購入する必要があることになると、市場活動において魅力が失われる場合がある。
【発明の概要】
【発明が解決しようとする課題】
【０００３】
したがって、医療用デバイスが複数の補助デバイスと互換性を有することを可能にするデバイス及び／又はシステムを有することが望ましい場合がある。医療用デバイス及び／又は補助デバイスを操作するユーザのために、医療用デバイス及び／又はシステムを人間工学的に改善することも望ましい。これらの事項を考慮すると、本発明による改善が有利である。
【課題を解決するための手段】
【０００４】
様々な実施形態における本発明には、超音波内視鏡や他の内視鏡に結合し、それと連動するように設計されたデバイスを含み得る。デバイスのシャフトは、超音波内視鏡のワーキングチャネルの遠位端よりも患者内の所定の距離だけ延びることができる。この所定の距離は、超音波を介して使用者に治療部位を表示するために、超音波内視鏡の動作範囲内にある。これより長く延びるデバイスの遠位端の長さは、この処置における超音波内視鏡の機能範囲を超える可能性があるが、これより短く延びる遠位端の長さは、ステントの適切な挿入、配置、及び送達ができない場合がある。
【０００５】
様々な実施形態における本発明には、内視鏡のワーキングチャネルを延長するためのデバイス、システム、及び方法を含む。一実施形態によると、延長デバイスは、内部を貫通して延びる管腔を有した管状内側部材を有し得る。管状外側部材は、内部を貫通して延びる管腔を有し得る。外側部材の管腔は、内側部材を受け入れるように構成することができ、外側部材及び内側部材は、装置の調節可能な長さに対応する所望の位置まで入れ子式に互いに相対して摺動可能であり得る。ロックアセンブリは、所望の位置で互いに対する外側部材及び内側部材の相対位置を固定する。近位コネクタは、外側部材の近位端にあり、第１の医療用デバイスの遠位端に接続するように構成され得る。遠位コネクタは、内側部材の遠位端にあり、第２の医療用デバイスの近位端に接続するように構成され得る。内側部材及び外側部材の管腔は、同軸に設けられ得る。近位コネクタ及び遠位コネクタのうちの少なくとも１つは、ルアーロックコネクタであり得る。複数の所望の位置は、３つの所定の固定位置を含み得る。固定された位置は、内側部材又は外側部材、あるいはその両方に視覚的インジケータを含み得る。視覚的インジケータにはマーキングが含まれ得る。固定位置には、内側部材及び外側部材の一方又は両方に留め具を含み得る。留め具は、内側部材上の第１の要素と、外側部材上の第２の要素とを含み得る。第１及び第２の要素は、互いに嵌合するように構成され得る。ジョイントは、第１の長手方向軸が第２の軸から９０度〜１８０度の角度になるように旋回することができる。ロックアセンブリは、戻り止めであってもよい。ロックアセンブリは、ねじであってもよい。ねじは、内側部材と係合することにより、内側部材に対して外側部材を所望の位置にロックすることができる。
【０００６】
別の態様では、延長システムは、一定のワーキングチャネルを有する内視鏡を含み得る。システムは、送達デバイスを含み得る。シャフトは、送達デバイスよりも遠位に延在し得、ワーキングチャネル内に受容可能である。システムは延長デバイスを含み得る。延長デバイスは、内部を貫通して伸びる管腔を有した管状の内側部材を含み得る。デバイスは、内部を貫通して伸びる管腔を有した管状外側部材を含み得る。外側部材の管腔は、内側部材を受け入れるように構成され得、外側部材及び内側部材は、延長デバイスの調節可能な長さに対応する所望の位置まで互いに相対して入れ子式に摺動可能であり得る。デバイスは、所望の位置で互いに対する外側部材及び内側部材の相対位置を固定するように構成されたロックアセンブリを含み得る。デバイスは、外側部材の近位端に近位コネクタを有することができ、送達デバイスの遠位端に接続するように構成されている。デバイスは、内側部材の遠位端に遠位コネクタを有することができ、内視鏡の近位端に接続するように構成されている。所定の距離は、約８センチメートルであり得る。調節可能な長さは、最小で約０センチメートル、最大で約８センチメートルであり得る。内側部材及び外側部材の管腔は、同軸に設けられ得る。近位コネクタは、オスのルアーコネクタであり得、遠位コネクタは、メス型のルアーコネクタであり得る。所望の位置は、複数の所定の固定位置を含み得る。所望の位置は、３つの所定の固定位置を含み得る。ジョイントは、第１の長手方向軸が第２の軸から９０度〜１８０度の角度になるように旋回することができる。継手は、内側部材の遠位部分に球体を含み得る。球体には、内部管腔と流体連通している第１の管腔が貫通していてもよい。カップ状体は、内側部材の遠位部分にあり、球体の周りに配置され得る。カップ状の本体には、第１の管腔と流体連通している第２の管腔が貫通していてもよい。球体は、カップ状体内で旋回可能であり得る。第１の管腔及び第２の管腔は、デバイスを受け入れるように構成され得る。ロックアセンブリは、外側部材の予め設定された開口に対応する内側部材の突出部であってもよい。ロックアセンブリは、複数の所望の位置に対応することができる複数の予め設定された開口を含むことができ、これは、所定の複数の調整可能な長さを規定することができる。突出部は、ボタンを圧縮して内側部材を外側部材から離脱させることができるように、圧縮可能なボタンを含むことができる。ロックアセンブリは、ねじであってもよい。ねじは、内側部材と係合することにより、内側部材に対して外側部材を所望の位置にロックすることができる。
【０００７】
別の態様では、ワーキングチャネルの長さを延長する方法は、ワーキングチャネルが内部を貫通する内視鏡を患者に挿入する工程を含み得る。カテーテルは、ワーキングチャンネルを通して患者に挿入される。延長デバイスは、カテーテルのシャフトの周りに、内部を貫通して延びる管腔を有して配置されてもよい。延長デバイスは、ワーキングチャネルの近位端に取り付けられ得る。カテーテルは、延長デバイスの近位端に取り付けられてもよい。延長装置は、延長装置の調整可能な長さに対応する所望の位置に調整することができる。延長装置は、所望の位置でロックされ得る。カテーテルの先端は、内視鏡を使用して視覚化できる。シャフトの周りに延長デバイスを配置することは、カテーテルを患者に挿入する前であり得る。所望の位置は、調節可能な長さを固定するように構成された、延長デバイスのロックアセンブリの少なくとも１つの所定の固定位置を含み得る。所望の位置は、複数の所定の固定位置を含み得る。延長デバイスの複数のチャネルは、延長デバイスがシャフトの周りに配置及び除去され得るように、互いに位置合わせされ得る。延長デバイスは、チャネルが実質的に位置合わせされた開放形態と、チャネルが実質的に位置合わせされていない閉鎖形態との間で回転することができる。
【０００８】
本開示の非限定的な実施形態は添付の図面を参照して一例として説明されるものであるが、これらは概略を示すものであり、一定の縮尺で描かれることを意図されていない。図面では、図示された同一又はほぼ同一の各構成要素は、通常、単一の参照符号を用いて表されている。明確にするために、すべての構成要素がすべての図で符号を付されているわけではなく、また、当業者が開示を理解できるようにするために例示が必要ではない各実施形態のすべての構成要素が示されているわけではない。
【図面の簡単な説明】
【０００９】
【図１】内視鏡に固定長をもって接続された医療用デバイスを操作するユーザの例を示す斜視図。
【図２】本発明の実施形態に従い、直列に接続された医療用デバイス、延長デバイス、及び内視鏡を通ってステントを送達している間の状態を図示する斜視図。
【図３】本発明の実施形態による延長デバイスを示す斜視図。
【図４】本発明の実施形態による、所定のロック位置を有する延長デバイスを示す斜視図。
【図５Ａ】本発明の実施形態による、開放形態における内側チャネル及び外側チャネルを有した延長デバイスを示す分解斜視図。
【図５Ｂ】本発明の実施形態による、開放形態における内側チャネル及び外側チャネルを有した延長デバイスを示す分解斜視図。
【図５Ｃ】本発明の実施形態による、開放形態における内側チャネル及び外側チャネルを有した延長デバイスを示す分解斜視図。
【図５Ｄ】図５Ａ〜図５Ｃの延長装置が閉鎖形態にある状態を示す斜視図。
【図５Ｅ】図５Ａ〜図５Ｃの延長装置が閉鎖形態にある状態を示す斜視図。
【図５Ｆ】図５Ａ〜図５Ｃの延長装置が閉鎖形態にある状態を示す斜視図。
【図６Ａ】本発明の実施形態による、旋回可能なジョイントを有する延長デバイスを示す斜視図。
【図６Ｂ】図６Ａのデバイスの部分を示す図。
【発明を実施するための形態】
【００１０】
本発明は、記載された特定の実施形態に限定されない。本明細書で使用される用語は、特定の実施形態を説明することのみを目的とし、限定することを意図するものではない。特に定義されない限り、本明細書で使用されるすべての技術用語は、本発明が属する技術分野の当業者によって一般に理解されるのと同じ意味を有する。
【００１１】
本明細書で使用する場合、単数形「a 」、「an」、及び「the 」は、文脈がそうでないことを明確に示さない限り、複数形も含むことを意図している。  本明細書で使用される場合、「備える（comprises ）」及び／又は「備える（comprising）」又は「含む（includes）」及び／又は「含む（including ）」という用語は、述べられた特徴、領域、ステップ要素及び／又は構成要素の存在を指定するが、 １つ以上の他の機能、領域、整数、ステップ、操作、要素、構成要素、及び／又はそれらの組合せ、又は追加を排除しないものである。
【００１２】
本明細書で使用される場合、「及び」は、文脈がそうでないことを明確に示さない限り、そのように結合された構造、構成要素、特徴などのそれぞれを含み、「又は」は、構造の一方又は他方を含むものであり、文脈から明らかにそうでないことが示されていない限り、構成要素、機能などは、単独で、又は、任意の組み合わせと数で組み合わされるものである。
【００１３】
本明細書で使用される場合、「遠位」という用語は、デバイスを患者に導入するときの医療専門家から最も遠い端を指し、「近位」という用語は、デバイスを患者に導入するとき医療専門家に最も近い端を指す。
【００１４】
本明細書では、すべての数値は、明示的に示されているかどうかにかかわらず、「約」という用語で修飾されていると想定されている。「約」という用語は、数値の文脈において、一般に、当業者が列挙された値と同等である（すなわち、同じ機能又は結果を有する）と見なすであろう数値の範囲を指す。多くの場合、「約」という用語には、最も近い有効数字に四捨五入された数値が含まれる場合がある。「約」という用語の他の使用（つまり、数値以外の文脈での使用）は、特に明記されていない限り、明細書の文脈から理解され、一貫しているため、通常の慣習的な定義を有するものと見なされる。
【００１５】
終端による数値範囲の列挙には、終端を含む、その範囲内のすべての数値が含まれる（例えば、１〜５には、１，１．５，２，２．７５，３，３．８０，４，５が含まれる）。
本明細書における「実施形態」、「一部の実施形態」、「他の実施形態」などへの言及は、記載された実施形態が特定の特徴、構造、又は特性を含み得ることを示すが、すべての実施形態において、特定の機能、構造、又は特性が含まれているとは限らない。さらに、そのような語句は、必ずしも同じ実施形態を指しているわけではない。さらに、特定の特徴、構造、又は特性が実施形態に関連して説明されている場合、明示的であろうとなかろうと、反対に明確に述べられていない限り、他の実施形態に関連してそのような特徴、構造、又は特性をもたらすことは当業者の知識の範囲内にあることが説明されているものとする。換言すると、特定の組み合わせで明示的に示されていない場合でも、以下で説明するさまざまな個々の要素は、当業者によって理解されるように、他の追加の実施形態を形成するため、又は説明した実施形態を補完及び／又は強化するために互いに組み合わせる又は配置可能であると考えられる。
【００１６】
本発明の実施形態は、ワーキングチャネルを延長するために使用されるデバイス及びシステム、ならびに方法を含む。患者の特定の治療部位まで延びるように、及び／又は特定の補助医療用デバイス（例えば、内視鏡）と互換性があるように設計され得る医療用デバイス（例えば、カテーテル）は、他の治療部位に到達するため、及び／又は他の補助医療用デバイスとの互換性をもたらすために、本発明の延長デバイスとともに使用され得る。
【００１７】
一例として、超音波内視鏡を使用して、自己拡張型排液ステントを送達するためにデリバリーカテーテルを使用することができる。ステント送達デバイスは、超音波内視鏡に接続し、それと共に機能するように設計され得る。体内へのドレナージステントの留置は、超音波の案内のもとで、ステントを運ぶカテーテルを挿入することにより行うことができる。カテーテルは、第１の体管腔（例えば、胃腸管）の壁を通って隣接する管腔（例えば、偽嚢胞）に通され、ステントの遠位保持部材が展開される。次に、カテーテルを後退させ、近位保持部材をＧＩ管（例えば、胃）内に配置することができる。そのような超音波による手順は、送達デバイスのシャフトが超音波内視鏡を通して挿入される超音波内視鏡を使用して実行され得る。超音波内視鏡のワーキングチャネルは、通常、特定の長さ、例えば、約１２５ｃｍ〜約１３０ｃｍであり、デリバリーカテーテル又はデバイスは、通常、約１３７ｃｍ〜約１３８ｃｍのシャフト長をもってワーキングチャネルの長さ全体に伸びるので、カテーテルの遠位端の約８ｃｍがワーキングチャネルの遠位端から患者内の所定の距離だけ外に延びることになる。   この所定の距離は、超音波を介して使用者にカテーテル先端及びステントを含む治療部位を表示するために、超音波内視鏡の動作範囲内にある可能性がある。これより長く延びるカテーテルの遠位端の長さは、この手順における超音波内視鏡の機能範囲を超える可能性があるが、延長された遠位端の長さがこれより短い場合には、ステントの適切な挿入、配置、及び送達ができないことがある。
【００１８】
図１を参照すると、ドレナージステントの送達のための上記の説明によるデバイス及び超音波内視鏡の例が示されている。デバイス１４０は、ユーザ１５０による操作のために、超音波内視鏡１３０に接続される。デバイス１４０は、ルアーロック継手であるコネクタ１４２を介して超音波内視鏡１３０に接続され、デバイス１４０を超音波内視鏡１３０に対してロックされた位置に設ける。ユーザ１５０は、片方の手で超音波内視鏡１３０を操作しながら、他方の手でデバイス１４０を操作することができる。デバイス１４０のシャフトは、超音波内視鏡１３０のワーキングチャネルを通って延び、超音波内視鏡１３０の遠位端から所定の距離だけ延びる。デバイス１４０は、超音波内視鏡１３０とロック位置にあり、所定の距離が定められたシャフト長を有することで、ユーザによる超音波内視鏡に対するデバイス１４０の移動を通じて近位方向又は遠位方向に変化しないようにすることができる。デバイス１４０のハンドル１４６は、処置中に順次作動させて、装置のシャフトの遠位先端を超音波内視鏡で視覚化しながらステントを送達することができる。
【００１９】
医療専門家は、所定のワーキングチャネル長を有する特定の補助医療用デバイス（例えば、超音波内視鏡）用に設計された医療用デバイスを、ワーキングチャネル長が異なる、別の補助医療用デバイス（例えば、直接撮像内視鏡又は異なるブランド又は構成の内視鏡）と共に使用することを望む場合がある。 プロのユーザがデバイスを別の補助デバイスに接続した場合、デバイスの機能に必要な部分（例えば、カテーテルシャフトの長さ）が手順のニーズに適合しない可能性がある。例えば、異なる補助デバイスのワーキングチャネルの遠位端から医療用デバイスが延びる距離は、様々な補助デバイスの長さが異なると変化する可能性がある。例えば、医療用デバイスが内視鏡にロックされることが必要又は望ましい場合があり、これによって、例えば、使用者の片手で内視鏡と共に操作できるようにするか、又は医療用デバイスが部分的に又は不注意で内視鏡から引き抜かれるか、又は延長されることがないようにすることができ、所望の量だけワーキングチャネルを越えて所定の延長距離を維持することができる。
【００２０】
図２を参照すると、本発明によるワーキングチャネルを延長するためのシステムの実施形態が示されており、内視鏡２３０を貫通してデバイスが通過するためのワーキングチャネルを有して患者に挿入された内視鏡２３０を含む。ボストン・サイエンティフィック・コーポレーションによって製造されたＡＸＩＯＳ（商標）デバイスとして例示の目的でここに示される例示的なステント送達デバイス２４０は、そこから遠位に延びるシャフト２４４を備えた遠位端を含む。シャフト２４４は、ワーキングチャネル内に受容可能である。シャフト２４４は、ステント２４６を患者の標的組織２６０に送達するように描かれている。送達デバイスと内視鏡との間に延在する延長デバイスは、送達デバイス２４０がシャフト２４４を内視鏡２３０の遠位端から所定の距離に維持することを可能にする。延長デバイス２００は、送達デバイス２４０と内視鏡２３０との間に取り付けられる。延長デバイス２００は、内部を貫通して伸びる管腔を有した管状の内側部材２０２を有する。延長デバイス２００はまた、内部を貫通して伸びる管腔を有した管状の外側部材２０４を有する。外側部材２０４の管腔は、内側部材２０２を受け入れるように構成される。外側部材２０４と内側部材２０２は、延長デバイス２００の調節可能な長さに対応する所望の位置まで入れ子式に互いに相対して摺動可能である。外側部材２０４の近位端の近位コネクタは、送達デバイス２４０のハンドルの遠位端のコネクタ２１０に接続するように構成される。内側部材の遠位端にある遠位コネクタ２０８は、内視鏡２３０の近位端に接続するように構成される。デバイス２００の調節可能な長さは、シャフト２４４が、延長デバイス２００の外側部材２０４及び内側部材２０２の管腔を通って、内視鏡２３０の近位端から遠位端までワーキングチャネルを通って、そして、内視鏡２３０の遠位端を越えて所定の距離だけ延伸することが可能である。
【００２１】
本明細書に記載されている、又は本発明の範囲内にある多様な実施形態では、内視鏡の遠位端からのシャフトの所定の距離は、例えば、約７．５ｃｍ〜約８．５ｃｍの範囲にあり得る。延長デバイスは、延長デバイスの内側部材及び外側部材の管腔を通して近位にシャフトを抜去することなく、内視鏡及び送達デバイスなどの補助医療用デバイスのシャフトの周りから着脱自在であり得る。延長装置の調節可能な長さは、例えば、最小で約０センチメートル、最大で約３センチメートル、又は最小で約０センチメートルかつ最大で約８センチメートルであり得る。内側部材及び外側部材の管腔は、同軸に設けられ得る。内側部材の管腔は、内視鏡のワーキングチャネルの直径と実質的に一致する直径を有し得る。外側部材の管腔は、内側部材の外径と実質的に一致する直径を有し得る。延長装置は、図２に示される止めねじなどのロックアセンブリを含み、外側部材２０４及び内側部材２０２を、延長部材２００の調節可能な長さに対応する所望の位置に互いに対して固定することができる。延長デバイスのロックアセンブリは、医療用デバイスのシャフト（例えば、カテーテル）の長さに一致する、内視鏡の近位端と医療用デバイスの遠位端（例えば、送達デバイス）の間の所定の固定位置を有することができる。
【００２２】
図３を参照すると、本発明によるワーキングチャネルを延長するための延長デバイスの実施形態が示されている。延長デバイス３００は、内部を貫通して伸びる管腔を有した管状の内側部材３０２を有する。デバイス３００はまた、内部部材３０２を受容するように構成された、内部を貫通して伸びる管腔を有する管状の外部部材３０４を含む。外側部材３０４の管腔は、内側部材３０２の外径と実質的に一致する直径を有し得る。外側部材３０４及び内側部材３０２は、装置３００の調整可能な長さに対応する所望の位置まで、入れ子式に互いに相対して摺動可能である。ロックアセンブリ３０６（例えば、ねじなど）は、所望の位置で外側部材３０４と内側部材３０２の互いに対する相対位置を固定するように構成される。ロックアセンブリ３０６は、内側部材３０２に係合することによって、内側部材３０２に対して外側部材３０４を所望の位置にロックする。図２〜３に示されるロックアセンブリ３０６は、外側部材３０４の開口部を通って配置されるツマミ付きねじを含む。ユーザは、外側部材３０４に対して内側部材３０２を係合及びロックするように、ツマミ付きねじを締めることができる。外側部材３０４の近位端における近位コネクタ３１０（例えば、ルアーロックコネクタ）は、第１の医療用デバイス（例えば、ステント送達デバイス）の遠位端に接続するように構成される。内側部材３０２の遠位端の遠位コネクタ３０８（例えば、メス型のルアーロックコネクタ）は、第２の医療用デバイス（例えば、内視鏡）の近位端に接続するように構成される。
【００２３】
図４を参照すると、本発明によるワーキングチャネルを延長するためのデバイスの実施形態が図示されており、これは、ロックアセンブリを備えた延長デバイス４００を含む。ロックアセンブリは、外側部材４０４に予め設定された開口４１２に対応する、内側部材４０２上の突出部４０６（例えば、圧縮可能なボタン、戻り止め）を含む。突出部４０６は、外側部材４０４の管腔の内面に完全に進入してそれを通過させ、外側部材４０４の開口部４１２から内側部材４０２を外すように、半径方向に圧縮することができる。これにより、内側部材４０２及び突出部４０６が外側部材４０４に対してスライドすることが可能になり、その結果、デバイス４００の全長が調整される。いくつかの実施形態では、ロックアセンブリ４０６は、複数の所望の位置に対応する、複数の予め設定された開口４１２を含み得る。ロッキングアセンブリ４０６の多数の位置は、デバイス４００の所定の調節可能な長さを規定し得る。例えば、開口部４１２及び所望の位置は、異なる長さのワーキングチャネルを有する内視鏡などの様々な補助デバイスと共に使用するために必要な既知の長さに対応し得る。各開口４１２は、一定の種類の補助デバイスに対応し得る。突出部４０６は、デバイス４００の適切な調整可能な長さを達成するために、使用されている補助デバイスに対応する開口４１２と係合することができる。デバイス４００の適切な調整可能な長さは、シャフトがデバイス４００を通って延在し、シャフトの所定の長さのみが補助デバイスの遠位端から延在するようなものであり得る。例えば、図４は、デバイスの外側部材４０４に対する内側部材４０２の３つの所定の固定位置に対応する３つの開口４１２を示している。したがって、この実施形態では、３つの固定位置の例は、延長デバイスの調整可能な長さの量だけシャフトの有効長を短くする、延長デバイスの３つの所定の調整可能な長さに対応する。マーキングなどの視覚的インジケータが所望の位置に対応して内側部材及び／又は外側部材上に設けられ得る。突出部及び開口の代替として、他の実施形態では、内側部材及び外側部材の一方又は両方は、互いに嵌合するように構成された内側部材上の第１の要素及び外側部材上の第２の要素を含んでなる留め具を有するものであってもよい。
【００２４】
図５Ａ〜５Ｆを参照する。本発明によるワーキングチャネルを延長するためのデバイスの実施形態が図示されており、これは、内側部材５０２に沿って、遠位コネクタ５０８に沿って、そして、内側部材５０２の管腔まで延びるチャネル５１４を含む。チャネル５１６は、外側部材５０４に沿って、近位コネクタ５１０に沿って、そして外側部材５０４の管腔まで延びる。内側部材５０２及び外側部材５０４のチャネル５１４及び５１６は、互いに対して位置合わせするように構成される。チャネル５１４及び５１６が位置合わせされているときには、延長部の内側部材５０２及び外側部材５０４の管腔を通って延びる医療用デバイスのシャフトの周りに、デバイス５００が配置され、及び除去され得るが、これには近位に延長デバイスから医療用デバイスのシャフトを引き抜く必要がない場合もふくんでいる。外側部材５０４及び内側部材５０２の一方又は両方は、互いに相対して回転可能である。デバイスは、チャネル５１４及びチャネル５１６が実質的に位置合わせされた（例えば、図５Ａ〜５Ｃに示されるような）開放形態と、チャネル５１４及びチャネル５１６が実質的に位置合わせされていない（例えば、図５Ｄ〜５Ｆに示されるような）閉鎖形態との間で変化し得る。装置５００が閉鎖位置にあり、シャフトが内側部材５０２及び外側部材５０４を通って延在する場合、装置５００及びシャフトは、それらを互いに分離できないように固定され、シャフトを内側部材５０２及び外側部材５０４を通して近位に向かって取り外す以外は、分離できない。装置５００が開放位置にあり、シャフトが内側部材５０２及び外側部材５０４を通って配置されている場合、デバイス５００は、シャフトの長さに沿ってチャネル５１４，５１６を延びる長手方向軸に対して実質的に半径方向にシャフトの周りから取り外されてもよい。ここ又は当初明細書等の範囲に記載される様々な実施形態では、遠位コネクタ５０８及び／又は近位コネクタ５１０に沿って延びる１つ以上のチャネル５１４及び／又は５１６は、代替手段として、多孔質材料、弱化材料、及び／又は又は、コネクタ５０８及び／又は５１０の残りの部分よりも薄い材料からなることもできる。あるいは、コネクタ５０８及び／又は５１０は、ユーザが延長デバイス５００をシャフトから引っ張る又は引き剥がすことによる意図的な力によって破壊可能である材料で全体が作られてもよい。そのような実施形態は、最初にシステムの他の部分を除去することなく、デバイス５００を内視鏡及び／又は医療用デバイスのシャフトから除去することを可能にし得る。そのような実施形態はまた、延長デバイス５００を除去する前に、システムの他の補助デバイス又は他の医療用デバイスを除去することと比較して、デバイス５００がより迅速に除去されることを可能にし得る。
【００２５】
本明細書に記載されている、又は本件発明の範囲内の他の実施形態では、内側部材及び外側部材は、様々なポリマー及び／又は金属材料からなることができる。材料には、ステンレス鋼、アルミニウム、ポリテトラフルオロエチレン（ＰＴＦＥ）、エチレンテトラフルオロエチレン（ＥＴＦＥ）、フッ化エチレンプロピレン（ＦＥＰ）、ポリオキシメチレン（ＰＯＭ、たとえばデュポン社から入手可能なＤＥＬＲＩＮ（登録商標））、ポリエーテルブロックエステル、ポリウレタン（例えば、ポリウレタン８５Ａ）、ポリプロピレン（ＰＰ）、ポリ塩化ビニル（ＰＶＣ）、ポリエーテルエステル（例えば、ＤＳＭエンジニアリングプラスティクスから入手可能なＡＲＮＩＴＥＬ（登録商標））、エーテル又はエステルベースのコポリマー（例えば、ブチレン／ポリ（アルキレンエーテル）フタル酸塩、及び／又はデュポン社から入手可能なＨＹＴＲＥＬ（登録商標）などのポリエステルエラストマー）、ポリアミド（例えばバイエル社から入手可能なＤＵＲＥＴＨＡＮ（登録商標）又はエルフ・アトケム社から入手可能なＣＲＩＳＴＡＭＩＤ（登録商標））、エラストマーポリアミド、ブロックポリアミド／エーテル、ポリエーテルブロックアミド（ＰＥＢＡ、例えばＰＥＢＡＸ（登録商標）の商標名で入手可能なもの）、エチレン酢酸ビニルコポリマー（ＥＶＡ）、シリコーン、ポリエチレン（ＰＥ）、Ｍａｒｌｅｘ（登録商標）高密度ポリエチレン、Ｍａｒｌｅｘ（登録商標）低密度ポリエチレン、線状低密度ポリエチレン（ＲＥＸＥＬＬ（登録商標）など） 、ポリエステル、ポリブチレンテレフタレート（ＰＢＴ）、ポリエチレンテレフタレート（ＰＥＴ）、ポリトリメチレンテレフタレート、ポリエチレンナフタレート（ＰＥＮ）、ポリエーテルエーテルケトン（ＰＥＥＫ）、ポリイミド（ＰＩ）、ポリエーテルイミド（ＰＥＩ）、ポリフェニレンスルフィド（ＰＰＳ）、ポリフェニレンオキシド（ＰＰＯ） 、ポリパラフェニレンテレフタルアミド（ＫＥＶＬＡＲ（登録商標）など）、ポリスルホン、ナイロン、ナイロン−１２（ＥＭＳアメリカン・グリロン社から入手可能なＧＲＩＬＡＭＩＤ（登録商標）など）、パーフルオロ（プロピルビニルエーテル）（ＰＦＡ）、エチレンビニルアルコール、ポリオレフィン、ポリスチレン、エポキシ、及び／又はポリ塩化ビニリデン（ＰＶｄＣ）が含まれる。 材料は、患者内での医療用デバイス及び内視鏡の前進及び後退に伴う力に耐えるように選択することができる。
【００２６】
図６Ａ及び６Ｂを参照する。本発明によるワーキングチャネルを延長するためのデバイスの実施形態が図示されており、デバイス６００の内側部材６０２の遠位部分に配置された旋回可能なジョイント６２０を含む。デバイス６００は、内視鏡の遠位端を超えて所定の距離をシャフトが延びることができるように、医療用デバイス６４０のシャフトと適合するように内視鏡６３０のワーキングチャネルを延長する。旋回ジョイント６２０は、デバイス６００を内視鏡６３０に接続する遠位コネクタ６０８の近位にある。ジョイント６２０は、内視鏡６３０の長手方向軸及び旋回ジョイントに対して遠位の内側部材６０２の一部と位置合わせ可能な第１の長手方向軸６２７を有する。ジョイント６２０はまた、内側部材６０２の残りの部分の長手方向軸と位置合わせ可能な第２の長手方向軸６２１を有する。ジョイント６２０は、遠位コネクタ６０８の近傍にある内側部材６０２の遠位部分に球体６２２を含む。球体６２０は、その内部を貫通する管腔６２４を有し、管腔６２４は内部部材６０２の管腔と流体連通している。ジョイント６２０はまた、遠位コネクタ６０８の近位にある内側部材６０２の遠位部分にカップ状体６２６を含む。カップ状体６２６は、球状本体６２０の周りに配置される。カップ状体６２６は、その内部を貫通する管腔６２８を有し、管腔６２８は球体６２２の管腔６２４と流体連通している。球体６２０は、内側部材６０２、球状体６２２、及びカップ状体６２６の管腔を流体連通状態に維持しながら、カップ状体６２６内で旋回可能である。医療用デバイス６４０のシャフト６４２は、ジョイント６２０の管腔６２４，６２８を通って伸長可能である。ジョイント６２０は、第１の長手方向軸６２７が第２の軸６２１から約９０度〜約１８０度の角度になるように旋回することができる。医療用デバイス６４０及びデバイス６００がカップ状体６２６及び内視鏡６３０に対して角度を付けて自由に動くことを可能にすることができるので、ユーザは、旋回可能なジョイント６２０から利益を得ることができる。第２の軸６２１は、９０度（第１の軸６２７に垂直）から１８０度（第１の軸６２７に平行）までの任意の平面で３６０度移動する自由を有する。これは、処置の間に人間工学的にユーザを支援し得る。医療用デバイス６４０及び内視鏡６３０を操作するユーザにとって、医療用デバイス、延長デバイス、及び内視鏡が互いに相対して枢動できない１つの位置に一緒にロックされる他の実施形態よりも、より多くの自由及び快適さがあり得る。
【００２７】
本明細書に記載されている、又は本発明の範囲内にある様々な実施形態では、近位及び／又は遠位コネクタは、オス型又はメス型のルアー継手であってもよい。１つ以上のコネクタは、回転するルアーナット及び／又は巻き付けられたルアー継手を含み得る。コネクタは、様々な内視鏡及び医療用デバイスに着脱自在に接続及び締め付けることができる。
【００２８】
ここで説明する、又は本発明の範囲内の他の実施形態では、ロックアセンブリは、クイックリリースロックナット、ねじり摩擦フィットロック、スロット付きフィットロック、ボタンフィットロック、戻り止めロックなどを含むことができる。
【００２９】
ここ又は本発明の範囲内に記載される様々な実施形態において、延長デバイスは、カテーテルのシャフトが内視鏡から所定の距離遠位に延びるように、内視鏡に対応する長さの管状部材であり得る。管状部材は、医療装置の遠位端に接続するように構成された、部材の近位端に近位コネクタを有することができる。管状部材は、内視鏡の近位端に接続するように構成された部材の遠位端に遠位コネクタを有することができる。
【００３０】
様々な実施形態において、ワーキングチャネルの長さを延長する方法は、一定のワーキングチャネルを有する内視鏡を患者に挿入する工程を含み得る。カテーテルは、ワーキングチャンネルを通して患者に挿入される。延長デバイスは、カテーテルのシャフトの周りを貫通して延びる管腔を有し得る。延長デバイスは、ワーキングチャネルの近位端に取り付けられ得る。カテーテルは、延長デバイスの近位端に取り付けられてもよい。延長デバイスは、延長デバイスの調整可能な長さに対応する所望の位置に調整することができる。延長デバイスは、所望の位置でロックされ得る。延長デバイスは、カテーテルの遠位先端が内視鏡の遠位端から最大で約８ｃｍ延びるように、所望の位置に調整することができる。カテーテルの先端は、内視鏡を使用して視覚化できる。延長デバイスは、カテーテルが内視鏡のワーキングチャネル内に留まっている間に、内視鏡及びカテーテルのシャフトの周りから取り外すことができる。配置工程は、カテーテルを患者に挿入した後、延長デバイスをシャフトの周りに配置することを含み得る。配置する工程は、カテーテルを患者に挿入する前に、延長デバイスをシャフトの周りに配置することを含み得る。所望の位置は、調節可能な長さを固定するように構成された、延長デバイスのロックアセンブリの少なくとも１つの所定の固定位置を含み得る。所望の位置は、複数の所定の固定位置を含み得る。延長デバイスの複数のチャネルは、延長デバイスがカテーテルのシャフトの周りに配置及び除去され得るように、互いに位置合わせされ得る。延長デバイスは、チャネルが実質的に整列した開放形態と、チャネルが実質的に整列していない閉鎖形態との間を移行することができる。
【００３１】
本明細書に開示及び請求されるすべてのデバイス及び／又は方法は、本発明に照らして、過度の実験なしに作成及び実行することができる。本発明のデバイス及び方法は、特定の実施形態に関して説明されているが、デバイス及び／又は方法に、及び本発明の概念、精神及び範囲から逸脱することなく、本明細書に記載される方法の工程又は工程の順序に変形が適用され得ることは、当業者には明らかであろう。当業者に明らかなすべてのそのような類似の代替物及び修正は、本発明の範囲内にあるものと見なされる。
【図１】
2021511887.tif 000003
【図２】
2021511887.tif 000004
【図３】
2021511887.tif 000005
【図４】
2021511887.tif 000006
【図５Ａ】
2021511887.tif 000007
【図５Ｂ】
2021511887.tif 000008
【図５Ｃ】
2021511887.tif 000009
【図５Ｄ】
2021511887.tif 000010
【図５Ｅ】
2021511887.tif 000011
【図５Ｆ】
2021511887.tif 000012
【図６Ａ】
2021511887.tif 000013
【図６Ｂ】
2021511887.tif 000014
【国際調査報告】
2021511887.tif 000015
2021511887.tif 000016
2021511887.tif 000017